(57)【要約】【課題】  複合帳票取扱装置など同一挿入口から払込書及び通帳などの帳票を取り込んで処理する装置において、帳票が誤挿入された場合であっても帳票種別の判別を高速に行う帳票処理装置を提供する。【解決手段】  帳票Ｐは、搬送ローラ対４１ａによって装置に取り込まれ、幅検知センサ２０２〜２０４によって帳票の幅が検知される。さらに厚さ検知部１２によって帳票の厚さが検知される。もし横型通帳の表紙のみを開き綴じ目を縦に誤挿入した場合など、帳票の幅が払込書と誤判定され、さらに厚さが払込書の厚さより厚いグレーゾーンに判定された場合は、長さ検知センサ２０５で帳票の長さが検知され取り込み処理中であっても払込書ではないと判定される。また、帳票の幅、厚さ、長さ検知によって通帳と判定された場合は、磁気検知部３によって磁気ストライプの有無が検知される。【選択図】  図２
2006092105.tif 000002
【特許請求の範囲】
【請求項１】
異なる種類の帳票の挿入が可能な挿入部と、
この挿入部より挿入された帳票の幅を検知する幅検知手段と、
この幅検知手段よりも帳票の挿入方向下流に配置され、前記挿入部より挿入された帳票の厚さを検知し、前記処理する帳票の厚さに応じて少なくとも３段階に区分する厚さ検知手段と、
この厚さ検知手段よりも帳票の挿入方向下流に配置され、前記挿入部より挿入された帳票の長さを検知する長さ検知手段と、
前記幅検知手段、前記厚さ検知手段、及び前記長さ検知手段の検知結果に基づいて前記帳票の種類を判別する帳票判別手段と、
この帳票判別手段の判別結果に基づいて前記帳票を正常処理、または返却処理する制御手段と
を有することを特徴とする帳票処理装置。
【請求項２】
異なる種類の帳票の挿入が可能な挿入部と、
この挿入部より挿入された帳票の幅を検知する幅検知手段と、
この幅検知手段よりも帳票の挿入方向下流に配置され、前記挿入部より挿入された帳票の厚さを検知し、前記処理する帳票の厚さに応じて少なくとも３段階に区分する厚さ検知手段と、
この厚さ検知手段よりも帳票の挿入方向下流に配置され、前記挿入部より挿入された帳票の長さを検知する長さ検知手段と、
前記幅検知手段、前記厚さ検知手段、及び前記長さ検知手段の検知結果に基づいて前記帳票の種類を判別する判別手段と、
前記帳票の磁気ストライプの有無を検知する磁気検知手段と、
前記幅検知手段、前記厚さ検知手段、前記長さ検知手段の検知結果に基づいて前記帳票の種類を判別する帳票判別手段と、
この帳票判別手段の判別結果、当該帳票が磁気ストライプを有すべき帳票であると判別されたにも拘らず、前記磁気検知手段によって、磁気ストライプが検知されなかったとき、当該通帳の挿入方向違いであることを表示する表示手段と
を備えたことを特徴とする帳票処理装置。
【請求項３】
前記厚さ検知手段は、
この厚さ検知手段の検知結果に基づいて、前記帳票の厚さを薄い、厚い、不確定の３段階に区分することを特徴とする請求項１または請求項２記載の帳票処理装置。
【請求項４】
前記帳票判別手段は、
前記帳票が払込書または通帳であるとき、前記幅検知手段による前記帳票の搬送方向先端の検知結果が通帳で、かつ、そのときの前記厚さ検知手段の検知結果が不確定に区分されたとき、当該帳票が前記長さ検知手段を通過中の間、前記厚さ検知手段によってさらに当該帳票の厚さを検知し、この厚さ検知手段による検知の結果、帳票の厚さが薄いときには、前記表示手段に、使用できない通帳であることを通知することを特徴とする請求項１または請求項２記載の帳票処理装置。
【請求項５】
前記帳票判別手段は、
前記帳票が払込書または通帳であるとき、前記幅検知手段による前記帳票の搬送方向先端の検知結果が払込書で、かつ、そのときの前記厚さ検知手段の検知結果が不確定に区分されたとき、当該帳票が前記長さ検知手段を通過中の間、前記厚さ検知手段によってさらに当該帳票の厚さを検知し、この厚さ検知手段による検知の結果、帳票の厚さが厚いときには、前記表示手段に、使用できない払込書であることを通知することを特徴とする請求項１または請求項２記載の帳票処理装置。
【発明の詳細な説明】
【技術分野】
【０００１】
本発明は、例えば通帳又は払込書などの帳票を同一挿入口から取り込んで処理する複合帳票取扱装置などの帳票処理装置において、特に、取り込んだ帳票の帳票種別を判別する帳票処理装置に関する。
【背景技術】
【０００２】
帳票処理装置には、例えば自動預払装置に搭載される複合帳票取扱装置が知られている。この複合帳票取扱装置は、同一挿入口より規定の払込書及び通帳を取り込んで処理する。この通帳には複数種類の形状があるが、何れの通帳も処理可能である。
【０００３】
払込書は、取り込み、搬送、イメージ読み取り、文字認識、印字が行われ複合媒体取扱装置内部の収納部に収納される。
【０００４】
通帳は、取り込み、搬送、磁気読取・書込、ページマーク読取、行読取、文字認識、印字、印字濃度確認が行われ装置の接客口に返却される。
【０００５】
複合帳票取扱装置には、払込書及び通帳が同一挿入口から挿入されるので、この払込書及び通帳に関する一連の処理を行うために、取込機構、駆動分割された搬送機構、幅寄せ機構、装置内帳票一時保留機構、磁気読取・書込機構、通帳ページ捲り機構、イメージ読取機構、文字印字機構、帳票収納機構、新規通帳発行機構が設けられている。これらの各機構には、各帳票に対応した取扱い手順が設定されており、この設定に従ってシーケンシャルな動作が行われる。
【０００６】
この際、払込書、通帳等の、挿入された帳票の種類やその正当性を挿入後に検知して異常帳票の返却処理を高速に行うために、幅検知機構、厚さ検知機構及び磁気ストライプ検知機構を備え、挿入された帳票の幅、厚さ、磁気ストライプの有無の３つの観点から行う方法が知られている（例えば、特許文献１参照）。
【特許文献１】特開２００３−５８９３１号公報（第１頁、図２）
【発明の開示】
【発明が解決しようとする課題】
【０００７】
しかしながら、特許文献１記載の帳票取扱装置は、磁気ストライプ検知機構による磁気ストライプの有無検知を行っているため、装置の内部に帳票を取り込み所定の範囲内の搬送速度に達した後に磁気ストライプの有無検知をする必要があった。そのため、磁気ストライプ検知機構を帳票挿入口の搬送方向下流に配置する必要があり、帳票が正常方向に挿入された場合は特に問題ないが、異常帳票や、挿入方向を間違えた場合は帳票種別の判別が遅れるという問題があった。すなわち、以下の問題がある。  
（１）  通帳によっては挿入方向を間違えると払込書と判断されるものがあり、ＯＣＲスキャナへのギャップ指定を間違ってしまい装置の故障になる場合がある。  
（２）  帳票取込完了後に、異常帳票であることが判明するため処理遅延が発生する。  
（３）  帳票を搬送路に完全に取り込んでから異物判別が行われるため、異物を返却することが不可能となり、装置が稼動停止する場合がある。  
（４）  誤挿入の場合、取込が完了してから判明するためアナウンスが遅れる場合がる。
【０００８】
本発明は、上記問題を解決するためになされたもので、帳票の取り込み完了までに帳票の幅、帳票の厚さ、帳票の搬送方向の長さの検知を行うことによって帳票種別の判別を高速に行うことが可能な帳票処理装置を提供することを目的とする。
【課題を解決するための手段】
【０００９】
上記目的を達成するために、本発明の請求項１記載の帳票処理装置は、異なる種類の帳票の挿入が可能な挿入部と、この挿入部より挿入された帳票の幅を検知する幅検知手段と、この幅検知手段よりも帳票の挿入方向下流に配置され、前記挿入部より挿入された帳票の厚さを検知し、前記処理する帳票の厚さに応じて少なくとも３段階に区分する厚さ検知手段と、この厚さ検知手段よりも帳票の挿入方向下流に配置され、前記挿入部より挿入された帳票の長さを検知する長さ検知手段と、前記幅検知手段、前記厚さ検知手段、及び前記長さ検知手段の検知結果に基づいて前記帳票の種類を判別する帳票判別手段と、この帳票判別手段の判別結果に基づいて前記帳票を正常処理、または返却処理する制御手段とを有することを特徴とする。
【００１０】
さらに、本発明の請求項２記載の帳票処理装置は、異なる種類の帳票の挿入が可能な挿入部と、この挿入部より挿入された帳票の幅を検知する幅検知手段と、この幅検知手段よりも帳票の挿入方向下流に配置され、前記挿入部より挿入された帳票の厚さを検知し、前記処理する帳票の厚さに応じて少なくとも３段階に区分する厚さ検知手段と、この厚さ検知手段よりも帳票の挿入方向下流に配置され、前記挿入部より挿入された帳票の長さを検知する長さ検知手段と、前記幅検知手段、前記厚さ検知手段、及び前記長さ検知手段の検知結果に基づいて前記帳票の種類を判別する判別手段と、前記帳票の磁気ストライプの有無を検知する磁気検知手段と、前記幅検知手段、前記厚さ検知手段、前記長さ検知手段の検知結果に基づいて前記帳票の種類を判別する帳票判別手段と、この帳票判別手段の判別結果、当該帳票が磁気ストライプを有すべき帳票であると判別されたにも拘らず、前記磁気検知手段によって、磁気ストライプが検知されなかったとき、当該通帳の挿入方向違いであることを表示する表示手段とを備えたことを特徴とする。
【発明の効果】
【００１１】
本発明によれば、帳票の取り込み完了までに帳票の幅、帳票の厚さ、帳票の搬送方向の長さの検知を行うことによって帳票種別の判別を高速に行うことができる。
【発明を実施するための最良の形態】
【００１２】
以下、図面を参照して本発明の実施例を説明する。
【実施例１】
【００１３】
図１は、本発明の実施例１による複合帳票取扱装置を搭載した自動預払装置の外観図である。自動預払装置９９は、カードユニット１００、複合帳票取扱装置１０１、紙幣を入出金するための紙幣ユニット１０２、操作パネル１０３、硬貨を入出金するための硬貨ユニット１０４、及びこれらの各ユニットと相互に通信を行い、自動預払装置９９を制御する総合制御部から構成される。
【００１４】
図２は、複合帳票取扱装置１０１の概略側断面図である。図３は、厚さ検知部１２を説明する図である。図４は複合帳票取扱装置１０１で使用される通帳の一例で、図５は払込書の一例である（詳細は後述する）。
【００１５】
複合帳票取扱装置１０１には、通帳２０、２２及び払込書２７からなる帳票Ｐの同一挿入口かつ排出口である帳票挿入口（挿入部）２と、この帳票挿入口２から挿入された帳票Ｐを図示矢印Ａ方向に搬送する左搬送路４０Ｌ、右搬送路４０Ｒが設けられている。そして、この左右の搬送路４０Ｌ、４０Ｒに沿って帳票挿入口２から、搬送ローラ対（取り込みローラ対）４１ａ、幅検知センサ（幅検知手段）２０２〜２０４、厚さ検知部１２、長さ検知センサ（長さ検知手段）２０５、磁気検知部（磁気検知手段）３、表裏反転部４、通帳ページ捲り・幅寄せ部５、ＰＬＦ検知部６、ＯＣＲスキャナ部７、印字部８、及び払込書２７を収納する上段払込書収納庫９と下段払込書収納庫１０からなる処理ユニットが配置されている。さらに、これらを制御する制御部（制御手段）１０５、帳票を挟持して搬送するための複数の搬送ローラ対４１ｂ、４１ｃ、４１ｄ、、、、電源部（図示しない）が設けられている。さらにまた、上記表裏反転部４によって分岐された一時保留搬送路４７にＯＣＲスキャナ部７が設けられている。したがって、この一時保留搬送路４７は、帳票を一時保留するための搬送路であると共に、この搬送路によって搬送されることによって、帳票Ｐの画像がＯＣＲスキャナ部７によって読み取られる。
【００１６】
帳票挿入口２は、上述したように通帳２０、２２及び払込書２７からなる帳票Ｐが挿入又は排出されるところである。
【００１７】
幅検知センサ（幅検知手段）２０２〜２０４は、投光器及び受光器からなる光学式検知センサで構成され、帳票挿入口２から挿入された帳票の幅を検知する。本実施例では通帳２０、２２及び払込書２７の幅に合わせて、搬送方向と直交する方向に、この幅検知センサを３個配置してある。なお、帳票の幅とは、挿入された帳票の搬送方向と直行する方向の長さを言う。
【００１８】
厚さ検知部（厚さ検知手段）１２は、搬送される帳票Ｐと接触しながら回転し、かつ、帳票Ｐの厚さ方向に変動可能なローラ（厚さ検知センサ）１２ａ、この厚さ検知センサ１２ａの厚さ方向の変動Ｂを厚さ検知部１２ｄに伝達するアーム１２ｃ、及び検出された変動量Ｂを処理する処理回路（図示しない）を備え、帳票Ｐの厚さを検知する。
【００１９】
図３（１）は、厚さ検知部１２の詳細図で、帳票Ｐが図示矢印Ａの方向に搬送され、厚さ検知センサ１２ａがこの帳票Ｐと接触しながら厚さ検知している様子を示す。
【００２０】
図３（２）は、厚さ検知部１２の動作を示す図で、帳票Ｐが例えば横通帳の表紙を開いた状態で表紙を先頭にして搬送されている場合の検知波形を示す。  
図３（２）Ｂは、図３（２）Ａで示す上記横通帳の厚さ検知波形Ｔである。  
図３（２）Ｃは、図３（２）Ｂで示す厚さ検知波形Ｔを平滑して、厚さに応じた厚さ検知出力Ｔ０が得られる。この厚さ検知出力Ｔ０は、その厚さによって下式（５）〜（７）に区分される。  
薄い          ：０≦Ｔ０＜ａ・・・・（５）
どちらでもない：ａ≦Ｔ０＜ｂ・・・・（６）
厚い          ：ｂ≦Ｔ０＜ｃ・・・・（７）
Ｔ０：厚さ検知出力
【００２１】
なお、本実施例による上記不確定の区分は、帳票Ｐの一部分が「薄い」の区分範囲で、一部分が「厚い」の区分範囲など、上記厚さ検知出力Ｔ０を基に帳票の厚さ検知を行った結果、払込書（薄い）と通帳（厚い）のどちらに区分すべきか判別できない場合にも用いられる。
【００２２】
長さ検知センサ（長さ検知手段）２０５は、投光器及び受光器からなる光学式検知センサで構成され、帳票挿入口２から挿入された帳票の搬送方向の長さを検知する。なお、帳票挿入口２から挿入された帳票は、幅検知センサ２０２〜２０５の搬送方向下流に近接して配置された後述するプッシャーによって搬送方向の右側に整位される。本実施例では、このようにして整位された通帳２０、２２及び払込書２７の何れの帳票も検知できる位置に１個配置してある。
【００２３】
磁気検知部３は、磁気ヘッド３１、磁気ヘッドドライバ回路３２、及び通帳押さえローラ対４１ｄを備えている。ここで、縦型通帳２０の磁気ストライプ２０ａの検知を行う場合を例に説明する。磁気ヘッド３１と通帳押さえローラ対４１ｄで搬送される縦型通帳２０の磁気ストライプ２０ａを押圧し、縦型通帳２０の磁気ストライプ２０ａを磁気ヘッド３１に接触させ、搬送される縦型通帳２０の磁気ストライプ２０ａの有無を検知する。
【００２４】
すなわち、操作者が縦型通帳２０の挿入方向を間違わずに挿入した場合（正常挿入）、当該通帳の搬送方向右側から所定の位置に磁気ストライプが貼り付けられているため、この磁気ストライプを検知することができる。
【００２５】
さらに、複合帳票取扱装置の所定の動作タイミングで磁気ストライプ２０ａの磁気データをリード／ライトすることが可能である。このようにして読み取られた磁気データは、複合帳票取扱装置１０１の制御部１０５へ通知される。
【００２６】
なお、横型通帳２２の磁気ストライプ２２ｂの検知、及び磁気データのリード／ライトは、上記縦型通帳２０の磁気ストライプ２０ａの検知、及び磁気データのリード／ライトと同様に行うことができるので、その説明を省略する。
【００２７】
本実施例では、磁気ストライプの検知と磁気データのリード／ライトを同一の磁気ヘッド３１を用いて行ったが、磁気ストライプの検知と磁気データのリード／ライトを行う磁気ヘッドを違えても結果は同じである。また、磁気ストライプの検知は構造及び処理の簡単な磁気センサーで行い、磁気データのリード／ライトは磁気ヘッドで行う方法も同様の結果を得ることができる。
【００２８】
表裏反転部４は、分岐搬送路（分岐搬送手段）４５、４６、及び分岐ゲートＧを備え、払込書２７の表裏が間違えて挿入された場合に、ＯＣＲスキャナ部７で読取った払込書のイメージデータに基づいて、当該払込書の表裏を反転する。そのために、上記分岐ゲートＧによって左搬送路４０Ｌ、右搬送路４０Ｒ、一時保留搬送路４７が必要に応じて連結される。
【００２９】
すなわち、分岐ゲートＧを回動しない場合、帳票Ｐは、表裏反転部４の左搬送路４０Ｌから右搬送路４０Ｒに搬送される。このとき帳票Ｐの挿入方向は搬送前と同じである。
【００３０】
一方、分岐ゲートＧを右側に回動した場合、右搬送路４０Ｒ、分岐搬送路４６、一時保留搬送路４７が連結され、例えば通帳ページ捲り・幅寄せ部５にあった帳票Ｐは後進しながらＯＣＲスキャナ部７まで搬送される。このとき帳票Ｐの挿入方向は搬送前と同じである。
【００３１】
さらに、分岐ゲートＧを左側に回動した場合、左搬送路４０Ｌ、分岐搬送路４５、一時保留搬送路４７が連結され、例えばＯＣＲスキャナ部７にあった帳票Ｐは前進しながら左搬送路４０Ｌまで搬送される。このとき帳票Ｐの挿入方向は表裏、正逆が反転する。
【００３２】
通帳ページ捲り・幅寄せ部５は、ページ捲り機構と幅寄せ機構から構成される。通帳ページ捲り機構は、通帳に印字するための印字行が同一ページに不足した場合に自動的にページ捲りを行う。また、幅寄せ機構は、通帳２０、２２の位置ずれによる磁気ストライプ２０ａ、２２ａの誤読、誤書き込みが発生するのを防止するため、搬送される通帳２０、２２を片側に幅寄せ整位する。本実施例では、搬送方向右側に整位する。なお、この整位は、搬送方向左に整位し、それに合わせて関連する機構を設けても同様の効果が達成されるのは当然である。
【００３３】
ＰＬＦ検知部６は、ＬＥＤ照明とモノクロＣＣＤ（ラインセンサ）からなり、搬送される通帳端部に印刷されている通帳のページマーク２０ｂ、２２ｂ、印字済行、及び印字後の印字濃度を読み取る。また、複合帳票取扱装置１０１の制御部１０５は、通帳のページマーク２０ｂ、２２ｂのページデータと、当該通帳の磁気ストライプ２０ａ、２２ａから読み取った磁気データ内のページデータとが一致するか判別し、現在開いている通帳のページに誤りがないか確認する。
【００３４】
ＯＣＲスキャナ部７は、照明部とカラーＣＣＤ（ラインセンサ）からなり、搬送される払込書２７のイメージデータを読み取り、その読み取ったデータを複合帳票取扱装置１０１の制御部１０５へ通知する。
【００３５】
印字部８は、通帳２０、２２及び払込書２７に必要なデータを印字する（詳細は、後述する。）。
【００３６】
上段払込書収納庫９及び下段払込書収納庫１０は、帳票処理の終了した払込書２７が収納される所である。
【００３７】
図６は制御部１０５を説明するためのブロック図である。制御部１０５には、ＣＰＵ（主制御部）１１２、データ処理回路１１３、ＲＡＭ１１４、ＲＯＭ１１５、画像メモリ１１６、Ｉ／Ｏポート１１７、１１８などが搭載されたボードで構成されており、これらは内部バス１１９を通じて相互に通信が行われる。
【００３８】
ＲＯＭ１１５は、この複合帳票取扱装置１０１で実行されるプログラムや各種パラメータが記憶された読み取り専用メモリである。
【００３９】
ＲＡＭ１１４は、プログラム実行のためのワークエリアやデータのストレージなどに用いられる読み出しと書き込みが可能なメモリである。
【００４０】
ＣＰＵ１１２は、複合帳票取扱装置１０１の全体的な制御および各種の演算処理を実行し、この演算処理結果を総合制御部１３０に送信する。
【００４１】
データ処理回路１１３は、磁気ヘッドドライバ回路３２と接続され、磁気ストライプの磁気検知、及び磁気ヘッド３１のリード／ライトデータ処理を行う。磁気ヘッドドライバ回路３２は、データ処理回路１１３で生成された磁気ヘッド用の記録データに基づいて磁気ヘッド３１を駆動したり、磁気ヘッド３１によって通帳２０の磁気ストライプ２０ａから読み出された信号の処理を行う。
【００４２】
また、データ処理回路１１３は、印字ドライバ回路８８と接続され、印字部８の印字パターンデータの生成処理などを行う。印字ドライバ回路８８はデータ処理回路１１３によって生成された印字パターンデータに基づいて印字部８の印字ヘッド８４を駆動する。
【００４３】
制御部１０５のＩ／Ｏポート１１８には、ＰＬＦ検知部６及びＯＣＲスキャナ部７が接続されている。ＯＣＲスキャナ部（画像読取手段）７に収納されている記載していないＯＣＲ（光学式文字読み取り）によって帳票（この場合、払込書）から読み出されたイメージの文字認識が行われる。文字認識された結果は、制御部１０５に通知される。
【００４４】
また、Ｉ／Ｏポート１１７には、例えば帳票挿入口２に配置された搬送ローラ対４１ａをはじめとする各種モータやソレノイドの動力源に駆動信号を供給したり、例えば帳票挿入口２に配置した光学センサ８６などの受光部をパルス点灯するために電圧を供給したり、これら光学センサ８６の出力を増幅する増幅器を収納するドライバ回路１２０が接続されている。
【００４５】
また、ＣＰＵ１１２は、ドライバ回路１２０を通して入力された上記光学センサ８６からの出力を演算処理し、出入口に放出された帳票の帳票種別を判別し、この判別結果に伴なうガイダンスデータを総合制御部１３０に伝送し、操作パネル１０３及び図示していない音声案内でガイダンスを行う。
【００４６】
総合制御部１３０は、複合帳票取扱装置１０１、カードユニット１００、紙幣ユニット１０２、硬貨ユニット１０４、操作パネル１０３で構成される自動預払装置９９の各ユニットと相互に通信を行い、自動預払装置９９を制御する。また、総合制御部１３０は他のオンラインで接続された図示しないセンターとの間で通信を行うことが可能であり、自動預払装置９９の取引結果をセンターに通知する。
【００４７】
次に、以上のように構成された複合帳票取扱装置１０１による通帳２０、２２及び払込書２７の処理を説明する。  
最初に通帳処理を説明する。画面ガイダンス、音声ガイダンス等の指示に従い操作者がタッチパネルなどからなる操作パネル１０３により、例えば通帳記帳などの取引を選択する。通帳記帳取引が選択されると、操作パネル１０３には通帳挿入の画面ガイダンス等が行われる。
【００４８】
操作者が例えば通帳２０（縦型通帳）を複合帳票取扱装置１０１の挿入部２に挿入すると、幅検知センサ２０２〜２０４に検知され、搬送ローラ対４１ａがモータなどにより回転し、通帳２０を装置内に取り込む。
【００４９】
この際、幅検知センサ２０２〜２０４の何れかが明の場合は通帳サイズと見なし、プッシャー機構２０１により右側に幅寄せられて厚さ検知部１２で厚さが検知される（以降、Ｔ検と称す）。
【００５０】
次に、磁気検知部３で磁気ストライプ２０ａの有無が検知される（以降、Ｓ検と称す）。ここまでの一連の判定で図７（１）の帳票・冊子判別基準に従い帳票種別が判別される。すなわち、横型通帳２２の場合、横幅１６７±１ｍｍ、厚さ０．１３ｍｍ以上、磁気有りが判定される。また、縦型通帳２０の場合、横幅１４０±０．５ｍｍ、厚さ０．１３ｍｍ以上、磁気有りが判定される。この判定の結果、本実施例の場合は通帳２０であることが確定する。この帳票種別判別に従い、磁気読込・書込部３は、磁気ストライプ２０ａのデータを読み取る。読み取られたデータは制御部１０５へ通知される。
【００５１】
次に、ＰＬＦ検知部６によって、ページマーク、印字済み行が読み取られる。この読取結果に基づいて、ページ判定、印字行（空白行、印字開始行）判定が行われる。その結果は、前述の制御部１０５へ通知される。
【００５２】
印字濃度（以降、ＰＬＦ検知と称す）にて現在開かれているページのページマークを読み取ってページを判定しその結果も前述の主制御部へ通知する。主制御部１０５は、先の磁気データ内の行データと、ＰＬＦ検知部６で読み取った行データが一致するか判定する。この判定の結果一致すると自動預払装置９９の総合制御部１３０は、センター（図示しない）とのオンライン伝送を行い、当該口座についての記帳データを入手し、そのデータを制御部１０５へ送信して印字部８で通帳２０に印字を行う。所定の印字が終了すれば（必要に応じて通帳ページ捲り部５にて改ページが行われる）通帳はＰＬＦ検知部６にて印字濃度を判定した上で帳票挿入口２へと返却搬送する。
【００５３】
次に、払込書処理を説明する。払込処理を行う場合は、画面ガイダンス、音声ガイダンス等の指示に従い操作者がタッチパネルなどからなる操作パネル１０３により、例えば払込取引を選択する。払込取引が選択されると、操作パネル１０３には払込書挿入の画面ガイダンス等が行われる。
【００５４】
操作者が払込書２７を複合帳票取扱装置１０１の挿入部２に挿入すると、幅検知センサ２０２〜３０４に検知され、搬送ローラ対４１ａがモータなどにより回転し、払込書２７を装置内に取り込む。
【００５５】
この際、幅検知センサ２０２〜２０４が全て暗の場合は払込書２７の幅サイズと見なされ、プッシャー機構２０１が解除されて取り込まれる（図１０参照）。
【００５６】
このようにして取り込まれた払込書２７は、厚さ検知部（以降、Ｔ検と称する）１２で厚さが検知される。
【００５７】
次に、Ｔ検による検知結果、厚くもなく、薄くもなく、中間の厚さ（グレーゾーン）の場合、長さ検知センサ２０５による長さ検知を行う。
【００５８】
次に、磁気検知部（以降、Ｓ検と称す）３で磁気ストライプの有無が検知される。払込書２７の場合、当然のことながら磁気ストライプなしが出力される。
【００５９】
ここまでの一連の判定で図７（１）の通帳・払込書判別基準値に従い帳票種別が判別される。すなわち、払込書の横幅１８０ｍｍ、厚さ０．１３ｍｍ未満、長さ１１４ｍｍ、磁気なしが判定される。この判定の結果、本実施例の場合は払込書２７であることが確定する。
【００６０】
この帳票種別判別に基づき、払込書２７は、払込書２７のイメージを読み取るラインＣＣＤと光源からなるＯＣＲスキャナ７に搬送され、払込書２７の表面が読み取られる。読み取られたイメージは文字認識部で払込先、口座番号２８ａ、２８ｂ、金額２９ａ、２９ｂなどの文字認識、及び、払込人住所氏名３０ａ、３０ｂの文字の有無、払込書２７の種別などの確認が行われ、操作パネル１０３に、口座番号２８ａなどの読み取られたイメージと文字認識された結果が上下に並んで表示される。操作者は、この操作パネル１０３に表示された文字認識内容を確認し、問題ないことを確認するために操作パネル１０３上の必要なキーを押すことにより、紙幣ユニット１０２、硬貨ユニット１０４などの現金を取り扱うユニット、又はカードによる入金などの場合はカードユニット１００へのカード投入が指示される。この指示に基づいて、払込書２７に示された口座２８ａ、２８ｂへの払込などの処理が行われる。
【００６１】
その後、払込書２７は印字部８に搬送され、印字部８により受付局日附印３４ａなどの必要な印字が行われる。印字後、更にＯＣＲスキャナ７で特定箇所の印字が読み取られデータ処理回路１１３の画像処理回路で印字濃度のＯＫ／ＮＧの判定が行われる。この判定結果を自動預払装置９９の総合制御部１３０へ通知する。
【００６２】
その後、搬送切り替えゲート（図示しない）により上段収納部９、又は、下段収納庫１０に収納される。
【００６３】
次に、図８を参照して厚さ検知センサ１２ａを１個使用した場合の実施例を説明する。この厚さ検知センサ１２ａは、上述したように搬送される帳票と接触しながら回転し、帳票の厚さ方向に変動する。また、厚さ検知センサ１２ａは、幅検知センサ２０２〜２０４の搬送方向下流かつ搬送路の概略中央部に配置されている。なお、この厚さ検知センサ１２ａは、幅検知センサ２０２〜２０４の搬送方向下流で、かつ、直後に配置されるのが好適である。
【００６４】
ここで、操作者が操作パネル１０３から払込書処理を選択し、横型通帳２２の綴じ目を縦方向にして表紙ページのみ捲った状態で挿入した場合を説明する。帳票（この場合、横型通帳２２）は、幅検知センサ２０２〜２０４に検知され払込書２７と誤判定され、厚さ検知センサ１２ａでＴ検が行われる。
【００６５】
このＴ検による検知の結果、帳票の厚さが払込書２７の厚さ（０．１３ｍｍ未満）より“厚い”と検知された場合、取り込み処理中であっても払込書２７ではないと判別される。
【００６６】
また、Ｔ検による検知の結果、帳票の厚さが払込書２７の厚さより“厚い”とも“薄い”とも言えない不確定（グレーゾーン）と区分された場合、長さ検知センサ２０５で帳票の長さが検知される。この長さ検知の結果、横型通帳２２の搬送方向の長さは１４０ｍｍであり、払込書の長さ１１４ｍｍを超えるため、取り込み処理中であっても払込書では無いと判別される。何れの場合も操作パネル１０３で画面ガイダンスにより「この払込書ではお取扱いできません」（図７（２）のＡ８）を表示すると共に払込書を操作者へ返却する。
【００６７】
次に、図９を参照して、操作者が操作パネル１０３から通帳記帳を選択し、横型通帳２２の表紙ページのみ開いた状態で挿入した場合を説明する。帳票（この場合、横型通帳２２）は、幅検知センサ２０２〜２０４に検知され横型通帳と判断され、プッシャー２０１によって右側に幅寄せされ厚さ検知センサ２０６でＴ検が行われる。
【００６８】
このＴ検による検知の結果、帳票の厚さが“厚い”とも“薄い”とも言えない不確定（グレーゾーン）と区分された場合、長さ検知センサ２０５で帳票の長さが検知される。この長さ検知の結果、横型通帳２２の搬送方向の長さは１６７ｍｍであり、払込書２７の搬送方向の長さ１１４ｍｍを超えるため通帳（この場合、横型通帳２２）と確定される（図７（２）のＡ５）。
【００６９】
このようにして、通帳と判別された場合は、引き続きＳ検を行う。また、Ｔ検で表紙が先に搬送されるため、表紙部分でグレーゾーンと検知された場合であっても、帳票の半分のところ以降ではＴ検による帳票の厚さが“厚い”と検知されるため、横型通帳２２と確定される。
【００７０】
次に、図１０を参照して、操作者が操作パネル１０３から払込処理を選択し、払込書２７と横型通帳２２の表紙ページのみ開いた状態で挿入した場合を説明する。帳票は、幅検知センサ２０２〜２０４に検知され払込書と判断され、厚さ検知センサ１２ａでＴ検が行われる。
【００７１】
このＴ検による検知の結果、帳票の厚さが“厚い”とも“薄い”とも言えない不確定（グレーゾーン）と区分された場合、長さ検知センサ２０５で帳票の長さが検知される。この長さ検知の結果、横型通帳２２の搬送方向の長さは１６７ｍｍであり、払込書２７の搬送方向の長さ１１４ｍｍを超えるため、帳票の長さが払込書以外と判断され、取り込み処理中であっても異常帳票と判断される。そして操作パネル１０３（表示手段）の画面ガイダンスにより「この払込書ではお取扱いできません」（図７（２）のＡ８）を表示すると共に横型通帳２２と払込書２７を操作者へ返却する。Ｔ検でグレーゾーンと判定した時、動的厚さ検知を開始すれば通帳の半分以降では、Ｔ検で“厚い”と判定され、払込書は異常であると確定できる。
【００７２】
以上のように、取り込み完了までに帳票種別を判別することによって、発明が解決しようとする課題に記載した（１）〜（４）が解決できる。
【実施例２】
【００７３】
次に、図１１を参照して第２の実施例を説明する。この第２の実施例は図８〜図１０に示す第１の実施例の厚さ検知センサ１２ａとは別に厚さ検知センサ１２ｂをさらに設けてある。なお、厚さ検知センサ１２ａ及び１２ｂは搬送方向と直交する位置を同じくし、かつ、搬送方向左右に所定の間隔を有して配置されている。この配置は、必ずしも搬送方向と直交する位置が同じである必要はないが、帳票種別を高速に判別する上で、搬送方向と直交する位置を同じにして配置した方が好適である。
【００７４】
上記厚さ検知センサ１２ａ、１２ｂ以外は、図８〜図１０に示した第１の実施例と同様であるため、同一部分には同一符号を付しその説明は省略する。
【００７５】
このような構成において、操作者が操作パネル１０３から通帳処理を選択し、縦型通帳２０の表紙ページのみ開いた状態で挿入した場合を説明する。この場合、厚さ検知センサ１２ａ、１２ｂによって、左右の厚さを検知することにより、本実施例の場合は、表紙側は薄く、通帳記載ページ側は厚くなる。この検知結果に基づき、左右の厚さが異なることが検知でき縦型通帳の幅の帳票が綴じ目を縦方向にして挿入されたことがわかる。この後、Ｓ検によって磁気を読み取り、磁気が読み取れた場合は、帳票が通帳であることが確定できる（図７（２）のＡ１）。一方磁気が読み取れなかった場合は、操作パネル１０３（表示手段）の画面ガイダンスにより「入れ直してください」と表示するだけでなく、「上下逆にして入れ直してください」とより詳しくガイダンスを表示する事が出来る。
【００７６】
次に、図１２、図１３を参照して本実施例（実施例１、実施例２）の判定アルゴリズムに関するフローチャートを説明する。図１２は、本実施例の判定アルゴリズムである。また、図１３は、図１２に示す判定アルゴリズムのサブルーチンである帳票判定処理を説明するフローチャートである。
【００７７】
操作者が複合帳票取扱装置１０１の帳票挿入口２に通帳又は払込書を挿入すると（Ｓ１）、帳票取込を開始する（Ｓ２）。
【００７８】
次に、取り込んだ帳票を搬送する帳票搬送処理（Ｓ３）と平行して、帳票の幅検知処理（Ｓ４）、帳票の厚さ検知処理（Ｔ検）（Ｓ５）、帳票の長さ検知処理（Ｓ６）、磁気ストライプの有無を検知する磁気検知処理（Ｓ検）（Ｓ７）を行い、それらの結果を基に帳票判定処理を行う（Ｓ８）。
【００７９】
帳票判定処理の結果、有効帳票である場合は（Ｓ９のＹｅｓ）、取込終了処理により取込を完了するための取込終了処理を行う（Ｓ１０）。一方、帳票判定処理の結果、無効帳票である場合は（Ｓ９のＮｏ）、帳票返却処理を行う（Ｓ１１）。
【００８０】
次に、図１３を参照して上記帳票判定処理フローチャートの説明を行う。  
帳票判定処理は、まず幅検知結果に基づいて、通帳サイズであるか、払込書サイズであるかを判定する（Ｓ２１）。
【００８１】
幅検知の結果、帳票が通帳の場合（Ｓ２１のＹｅｓ）、厚さ検知（Ｔ検）の結果より、通帳の厚さ分有るかどうかを判定する（Ｓ２２）。通帳の厚さは払込書の厚さより厚いので、薄い帳票であると判定した場合は（Ｓ２６のＹｅｓ）、無効帳票と判定し“この通帳ではお取扱いできません”ガイダンス（Ｓ２７）へ移行する。
【００８２】
ステップＳ２６において、帳票の厚さが厚いとも薄いとも言えない不確定（グレーゾーン）と判定された場合は（Ｓ２６のＮｏ）、当該帳票が長さ検知手段を通過中の間Ｔ検を繰り返す（Ｓ２８のＮｏ）。
【００８３】
帳票の長さ検知センサ２０５を通過したら（Ｓ２８のＹｅｓ）、帳票の長さが通帳分であるかどうかを判定する（Ｓ２９）。この判定の結果、通帳の長さでなかった場合（Ｓ２９のＮｏ）、無効帳票と判定し“この通帳ではお取扱いできません”ガイダンス（Ｓ３０）へ移行する。
【００８４】
ステップＳ２２で厚いと判定された場合と、ステップＳ２９で通帳の長さであると判定された場合とは、磁気検知（Ｓ検）の結果に基づき、通帳の磁気ストライプの有無を判定する（Ｓ２３）。この判定の結果、磁気が無い場合は（Ｓ２３のＹｅｓ）帳票の挿入方向を無効と判定し“入れ直して下さい”ガイダンス（Ｓ２４）に移行する。
【００８５】
ステップＳ２３で磁気が有る場合は、帳票を“通帳”であると確定する（Ｓ２５）。  
次に、ステップＳ２１で払込書サイズであると判定された場合（Ｓ２１のＮｏ）、厚さ検知（Ｔ検）の結果に基づき、払込書の厚さであるかどうかが判定される（Ｓ３１）。払込書の厚さは、通帳の厚さより薄いので、厚い帳票であると判定した場合（Ｓ３３のＹｅｓ）、無効帳票と判定し“この払込書ではお取扱いできません”ガイダンス（Ｓ３４）へ移行する。
【００８６】
ステップＳ３３で、厚いとも薄いとも言えない「どちらでもない」（グレーゾーン）と区分された場合は（Ｓ３３のＮｏ）、当該帳票が長さ検知手段を通過中の間Ｔ検を繰り返す（Ｓ３５のＮｏ）。
【００８７】
帳票の長さ検知センサを通過したら（Ｓ３５のＹｅｓ）、帳票の長さが払込書分であるかどうかが判定される（Ｓ３６）。この判定の結果、払込書の長さでなかった場合（Ｓ３６のＮｏ）、無効帳票と判定し“この払込書ではお取扱いできません”ガイダンス（Ｓ３７）へ移行する。
【００８８】
ステップＳ３６で薄いと判定された場合は（Ｓ３６のＹｅｓ）、帳票を“払込書”であると確定する（Ｓ３２）。
【００８９】
以上のように、厚さ検知センサを２個配置することによって、実施例１に記載した「取り込み完了までに帳票種別を判別することによって、発明が解決しようとする課題に記載した（１）〜（４）が解決できる」効果はもちろんのこと、上述したように通帳の搬送方向を判別することが可能になる。
【図面の簡単な説明】
【００９０】
【図１】本発明の実施例による複合帳票取扱装置を搭載した自動預払装置の外観図。
【図２】複合帳票取扱装置の概略断面図。
【図３】縦型通帳の見開き図。
【図４】横型通帳の見開き図。
【図５】払込書を説明する図。
【図６】制御部ブロック図。
【図７】通帳・払込書の判別基準及び判別結果。
【図８】厚さ検知センサを１個配置した第１の実施例で、横型通帳の綴じ目を縦方向に挿入した場合を説明する図。
【図９】厚さ検知センサを１個配置した第１の実施例で、横型通帳の表紙のみ開いた状態で挿入した場合を説明する図。
【図１０】厚さ検知センサを１個配置した第１の実施例で、払込書と横型通帳の表紙のみ開いた状態で挿入した場合を説明する図。
【図１１】厚さ検知センサを２個配置した第２の実施例で、縦型通帳の表紙のみ開いた状態で挿入した場合を説明する図。
【図１２】本実施例の判定アルゴリズムを説明するフローチャート。
【図１３】判定アルゴリズムのサブルーチンである帳票判定処理を説明するフローチャート。
【符号の説明】
【００９１】
Ｐ  帳票
２  帳票挿入口
３  磁気検知部
４  表裏反転部
５  通帳ページ捲り・幅寄せ部
６  ＰＬＦ検知部
７  ＯＣＲスキャナ部
８  印字部
９  上段払込書収納庫
１０  下段払込書収納庫
１２  厚さ検知部
１２ａ、１２ｂ  厚さ検知センサ
２０  縦型通帳
２２  横型通帳
２７  払込書
４０Ｌ  左搬送路
４０Ｒ  右搬送路
４１ａ〜４１ｉ  搬送ローラ対
９９  自動預払装置
１０１  複合帳票取扱装置
１０５  主制御部
２０１  プッシャー機構
２０２〜２０４  幅検知センサ
２０５  長さ検知センサ
【図１】
2006092105.tif 000003
【図２】
2006092105.tif 000004
【図３】
2006092105.tif 000005
【図４】
2006092105.tif 000006
【図５】
2006092105.tif 000007
【図６】
2006092105.tif 000008
【図７】
2006092105.tif 000009
【図８】
2006092105.tif 000010
【図９】
2006092105.tif 000011
【図１０】
2006092105.tif 000012
【図１１】
2006092105.tif 000013
【図１２】
2006092105.tif 000014
【図１３】
2006092105.tif 000015